【事件の表示】
　特許第３４００９７０号「画像形成装置」の請求項１ないし５に係る特許に対する特許異議の申立てについて、次のとおり決定する。
【結　論】
　訂正を認める。
　特許第３４００９７０号の請求項１、３に係る特許を取り消す。
　同請求項２、４、５に係る特許を維持する。
【理　由】
１．手続の経緯　
　　特許第３４００９７０号の請求項１ないし５に係る発明についての出願は、平成１２年３月２７日（パリ条約による優先権主張２０００年２月１８日米国）に特許出願され、平成１５年２月２１日にその特許権の設定登録がされ、その後、異議申立人　大木　茂　により特許異議の申立てがなされ、平成１５年１２月２４日に取消しの理由が通知され、その指定期間内である平成１６年３月９日に訂正請求（後日取下げ）がなされた後、平成１７年１月１３日に再度の取消しの理由が通知され、その指定期間内である平成１７年３月２２日に訂正請求がなされたものである。　
　
２．訂正の適否　
　（１）訂正の内容　
　　特許権者が求めている訂正の内容は以下のとおりである。　
　（１）．１　訂正事項ａ　
　特許請求の範囲の請求項２を次のとおり訂正する。　
　「【請求項２】　原稿を搬送する搬送手段と、　
　この搬送手段により搬送される原稿の画像データを読取る読取手段と、　　この読取手段により読取った画像データを記憶するページメモリと、　
　このページメモリに記憶されている画像データに対して回転処理等の編集処理を行う第１の処理手段と、　
　上記ページメモリに記憶されている画像データに基づいて被画像形成媒体に画像形成する画像形成手段と、　
からなる画像形成装置において、　
　上記第１の処理手段による編集処理を行わない場合に、　
　上記原稿の１頁分の画像データの途中まで上記ページメモリに記憶された際に、先行して上記ページメモリに記憶されている上記原稿に対する画像データを順次読出す読出手段と、　
　この読出手段により順次読出される画像データを用いて、上記画像形成手段により被画像形成媒体に画像形成する第２の処理手段と、　
　上記第１の処理手段による編集処理を行う場合に、上記原稿の１頁分の画像データが全て上記ページメモリに記憶された際に、このページメモリに記憶されている画像データに対する編集処理を行う第３の処理手段と、　
　この第３の処理手段により編集処理された画像データを用いて、上記画像形成手段により被画像形成媒体に画像形成する第４の処理手段と、　
を具備したことを特徴とする画像形成装置。」とあるのを　
　「【請求項２】　原稿を搬送する搬送手段と、　
　この搬送手段により搬送される原稿の画像データを読取る読取手段と、　　この読取手段により読取った画像データを記憶するページメモリと、　
　このページメモリに記憶されている画像データに対して回転処理等の編集処理を行う第１の処理手段と、　
　上記ページメモリに記憶されている画像データに基づいて被画像形成媒体に画像形成する画像形成手段と、　
からなる画像形成装置において、　
  
画像形成を行うために選択された機能に応じて逐次印刷処理可能かどうかを判断する判断手段と、
 
上記判断手段の判断結果、逐次印刷処理が可能であり、
　上記原稿の１頁分の画像データの途中まで上記ページメモリに記憶された際に、
上記原稿の１頁分の画像データの全部が上記ページメモリに記憶されるのに
　この読出手段により順次読出される画像データを用いて、上記画像形成手段により被画像形成媒体に画像形成する第２の処理手段と、　
　
上記判断手段の判断結果、逐次印刷処理が不可であり、
この第３の処理手段により編集処理された画像データを用いて、上記画像形成手段により被画像形成媒体に画像形成する第４の処理手段と、　
を具備したことを特徴とする画像形成装置。」と訂正する。　
　
　（１）．２　訂正事項ｂ　
 　特許請求の範囲の請求項４を次のとおり訂正する。　
　「【請求項４】　原稿を搬送する搬送手段と、　
　この搬送手段により搬送される原稿の画像データを読取る読取手段と、　　この読取手段により読取った画像データを記憶するページメモリと、　
　このページメモリに記憶されている画像データに基づいて被画像形成媒体に画像形成する画像形成手段と、　
　この画像形成手段により画像形成された複数枚の被画像形成媒体に対してステイブル処理する第１の処理手段と、　
からなる画像形成装置において、　
　上記第１の処理手段によるステイブル処理を行わない場合に、　
　上記原稿の１頁分の画像データの途中まで上記ページメモリに記憶された際に、先行して上記ページメモリに記憶されている上記原稿に対する画像データを順次読出す読出手段と、　
　この読出手段により順次読出される画像データを用いて、上記画像形成手段により被画像形成媒体に画像形成する第２の処理手段と、　
　上記第１の処理手段によるステイブル処理を行う場合に、上記原稿の１頁分の画像データが全て上記ページメモリに記憶された際に、このページメモリに記憶されている画像データに対する回転処理を行う第３の処理手段と、　この第３の処理手段により回転処理された画像データを用いて、上記画像形成手段により被画像形成媒体に画像形成する第４の処理手段と、
を具備したことを特徴とする画像形成装置。」とあるのを、　
　「【請求項４】　原稿を搬送する搬送手段と、  
　この搬送手段により搬送される原稿の画像データを読取る読取手段と、　　この読取手段により読取った画像データを記憶するページメモリと、　
　このページメモリに記憶されている画像データに基づいて被画像形成媒体に画像形成する画像形成手段と、　
　この画像形成手段により画像形成された複数枚の被画像形成媒体に対してステイブル処理する第１の処理手段と、　
からなる画像形成装置において、　
  
画像形成を行うために選択された機能に応じて逐次印刷処理可能かどうかを判断する判断手段と、
  上記判断手段の判断結果、逐次印刷処理が可能であり、
　上記原稿の１頁分の画像データの途中まで上記ページメモリに記憶された際に、
上記原稿の１頁分の画像データの全部が上記ページメモリに記憶されるのに
　この読出手段により順次読出される画像データを用いて、上記画像形成手段により被画像形成媒体に画像形成する第２の処理手段と、　
　
上記判断手段の判断結果、逐次印刷処理が不可であり、
　この第３の処理手段により回転処理された画像データを用いて、上記画像形成手段により被画像形成媒体に画像形成する第４の処理手段と、　
を具備したことを特徴とする画像形成装置。」と訂正する。　
　
　（１）．３　訂正事項ｃ　
　特許請求の範囲の請求項５を次のとおり訂正する。　
　「【請求項５】　原稿を搬送する搬送手段と、　
　この搬送手段により副走査方向に搬送される原稿の主走査方向の１走査ラインずつの画像データを読取る読取手段と、　
　上記原稿の１頁分の画像データが記憶される容量を有し、上記読取手段により読取った１走査ラインずつの画像データを順次記憶するページメモリと、　
　このページメモリに記憶されている１頁分の画像データを回転する回転手段と、　
　上記ページメモリに記憶されている画像データを１走査ラインずつ読出す読出し手段と、　
　この読出し手段により読出された１走査ラインずつの画像データ、あるいは上記回転手段により回転された１走査ラインずつの画像データに対する走査露光により像担持体上に像を形成する像形成手段と、　
　この像形成手段により形成された像担特体上の像をトナーにより現像する現像手段と、　
　被画像形成媒体を上記像担持体に供給する供給手段と、  　
上記現像手段による像担特体上の現像像を、上記供給手段により供給される被画像形成媒体上に転写する転写手段と、　
　この転写手段により現像像が転写された被画像形成媒体を排出する排出手段と、　
　この排出手段により排出される複数枚の被画像形成媒体に対するステイブル処理を、上記被画像形成媒体の排出方向の後端側に行うステイブル手段とを有する画像形成装置において、　
　上記ステイブル処理が選択されていない際に、上記読取手段により読取った１走査ラインずつの画像データの上記ページメモリへの記憶を順次行うとともに、このページメモリに先に記憶された１走査ラインずつの画像データを上記読出し手段により読み出し、この読出された１走査ラインずつの画像データに基づいて上記像形成手段により像担持体上に像を形成し、この像を上記現像手段により現像し、この現像像を上記供給手段により供給される被画像形成媒体に転写した後、上記排出手段により排出する第１の処理手段と、　
　上記ステイブル処理が選択されている際に、上記読取手段により読取った１走査ラインずつの画像データの上記ページメモリへの記憶を順次行い、このページメモリに原稿１頁分の画像データを記憶し、このページメモリに記憶された１頁分の画像データを上記回転手段により回転し、この回転された１走査ラインずつの画像データに基づいて上記像形成手段により像担持体上に像を形成し、この像を上記現像手段により現像し、この現像像を上記供給手段により供給される被画像形成媒体に転写した後、上記排出手段により排出する第２の処理手段と　
　からなることを特徴とする画像形成装置。」とあるのを、　
　「【請求項５】　原稿を搬送する搬送手段と、　
　この搬送手段により副走査方向に搬送される原稿の主走査方向の１走査ラインずつの画像データを読取る読取手段と、　
　上記原稿の１頁分の画像データが記憶される容量を有し、上記読取手段により読取った１走査ラインずつの画像データを順次記憶するページメモリと、　
　このページメモリに記憶されている１頁分の画像データを回転する回転手段と、　
　上記ページメモリに記憶されている画像データを１走査ラインずつ読出す読出し手段と、　
　この読出し手段により読出された１走査ラインずつの画像データ、あるいは上記回転手段により回転された１走査ラインずつの画像データに対する走査露光により像担持体上に像を形成する像形成手段と、　
　この像形成手段により形成された像担特体上の像をトナーにより現像する現像手段と、　
　被画像形成媒体を上記像担特体に供給する供給手段と、　
上記現像手段による像担特体上の現像像を、上記供給手段により供給される被画像形成媒体上に転写する転写手段と、　
　この転写手段により現像像が転写された被画像形成媒体を排出する排出手段と、
　この排出手段により排出される複数枚の被画像形成媒体に対するステイブル処理を、上記被画像形成媒体の排出方向の後端側に行うステイブル手段とを有する画像形成装置において、　
　
画像形成を行うために選択された機能に応じて逐次印刷処理可能かどうかを判断する判断手段と、上記判断手段の判断結果、逐次印刷処理が可能であり、
　
上記判断手段の判断結果、逐次印刷処理が不可であり、
　からなることを特徴とする画像形成装置。」と訂正する。　
　
　（１）．４　訂正事項ｄ　
　本件明細書の段落００２１に　
　「【００２１】 この発明は、原稿を搬送する搬送手段と、この搬送手段により搬送される原稿の画像データを読取る読取手段と、この読取手段により読取った画像データを記憶するページメモリと、このページメモリに記憶されている画像データに対して回転処理等の編集処理を行う第１の処理手段と、上記ページメモリに記憶されている画像データに基づいて被画像形成媒体に画像形成する画像形成手段とからなるものにおいて、上記第1の処理手段による編集処理を行わない場合に、上記原稿の１頁分の画像データの途中まで上記ページメモリに記憶された際に、先行して上記ページメモリに記憶されている上記原稿に対する画像データを順次読出す読出手段と、この読出手段により順次読出される画像データを用いて、上記画像形成手段により被画像形成媒体に画像形成する第２の処理手段と、上記第１の処理手段による編集処理を行う場合に、上記原稿の１頁分の画像データが全て上記ページメモリに記憶された際に、このページメモリに記憶されている画像データに対する編集処理を行う第３の処理手段と、この第３の処理手段により編集処理された画像データを用いて、上記画像形成手段により被画像形成媒体に画像形成する第４の処理手段とからなる。」とあるのを、　
　「【００２１】　
【課題を解決するための手段】　
画像形成を行うために選択された権能に応じて逐次印刷処理可能かどうかを判断する判断手段と、上記判断手段の判断結果、逐次印刷処理が可能であり、
上記原稿の１頁分の画像データの全部が上記ページメモリに記憶されるのに
上記判断手段の判断結果、逐次印刷処理が不可であり、
　
　（１）．５　訂正事項ｅ　
　本件明細書の段落００２３に　
　「【００２３】　
　この発明の画像形成装置は、原稿を搬送する搬送手段と、この搬送手段により搬送される原稿の画像データを読取る読取手段と、この読取手段により読取った画像データを記憶するページメモリと、このページメモリに記憶されている画像データに基づいて被画像形成媒体に画像形成する画像形成手段と、この画像形成手段により画像形成された複数枚の被画像形成媒体に対してステイブル処理する第１の処理手段とからなるものにおいて、上記第１の処理手段によるステイブル処理を行わない場合に、上記原稿の１頁分の画像データの途中まで上記ページメモリに記憶された際に、先行して上記ページメモリに記憶されている上記原稿に対する画像データを順次読出す読出手段と、この読出手段により順次読出される画像データを用いて、上記画像形成手段により被画像形成媒体に画像形成する第２の処理手段と、上記第１の処理手段によるステイブル処理を行う場合に、上記原稿の１頁分の画像データが全て上記ページメモリに記憶された際に、このページメモリに記憶されている画像データに対する回転処理を行う第３の処理手段と、この第３の処理手段により回転処理された画像データを用いて、上記画像形成手段により被画像形成媒体に画像形成する第４の処理手段とからなる。」とあるのを、　　「【００２３】　
　この発明の画像形成装置は、原稿を搬送する搬送手段と、この搬送手段により搬送される原稿の画像データを読取る読取手段と、この読取手段により読取った画像データを記憶するページメモリと、このページメモリに記憶されている画像データに基づいて被画像形成媒体に画像形成する画像形成手段と、この画像形成手段により画像形成された複数枚の被画像形成媒体に対してステイブル処理する第１の処理手段とからなるものにおいて、
画像形成を行うために選択された機能に応じて逐次印刷処理可能かどうかを判断する判断手段と、上記判断手段の判断結果、逐次印刷処理が可能であり、
上記原稿の１頁分の画像データの全部が上記ページメモリに記憶されるのに
上記判断手段の判断結果、逐次印刷処理が不可であり、
　
　（１）．６　訂正事項ｆ　
　本件明細書の段落００２４ に　
　「【００２４】　
　この発明の画像形成装置は、原稿を搬送する搬送手段と、この搬送手段により副走査方向に搬送される原稿の主走査方向の１走査ラインずつの画像データを読取る読取手段と、上記原稿の１頁分の画像データが記憶される容量を有し、上記読取手段により読取った１走査ラインずつの画像データを順次記憶するページメモリと、このページメモリに記憶されている1頁分の画像データを回転する回転手段と、上記ページメモリに記憶されている画像データを１走査ラインずつ読出す読出し手段と、この読出し手段により読出された１走査ラインずつの画像データ、あるいは上記回転手段により回転された１走査ラインずつの画像データに対する走査露光により像担持体上に像を形成する像形成手段と、この像形成手段により形成された像担特体上の像をトナーにより現像する現像手段と、被画像形成媒体を上記像担持体に供給する供給手段と、上記現像手段による像担持体上の現像像を、上記供給手段により供給される被画像形成媒体上に転写する転写手段と、この転写手段により現像像が転写された被画像形成媒体を排出する排出手段と、この排出手段により排出される複数枚の被画像形成媒体に対するステイブル処理を、上記被画像形成媒体の排出方向の後端側に行うステイブル手段とを有するものにおいて、上記ステイブル処理が選択されていない際に、上記読取手段により読取った１走査ラインずつの画像データの上記ページメモリへの記憶を順次行うとともに、このページメモリに先に記憶された１走査ラインずつの画像データを上記読出し手段により読み出し、この読出された１走査ラインずつの画像データに基づいて上記像形成手段により像担持体上に像を形成し、この像を上記現像手段により現像し、この現像像を上記供給手段により供給される被画像形成媒体に転写した後、上記排出手段により排出する第１の処理手段と、上記ステイブル処理が選択されている際に、上記読取手段により読取った１走査ラインずつの画像データの上記ページメモリへの記憶を順次行い、このページメモリに原稿１頁分の画像データを記憶し、このページメモリに記憶された1頁分の画像データを上記回転手段により回転し、この回転された１走査ラインずつの画像データに基づいて上記像形成手段により像担持体上に像を形成し、この像を上記現像手段により現像し、この現像像を上記供給手段により供給される被画像形成媒体に転写した後、上記排出手段により排出する第２の処理手段とからなる。」とあるのを、　
　「【００２４】　
　この発明の画像形成装置は、原稿を搬送する搬送手段と、この搬送手段により副走査方向に搬送される原稿の主走査方向の１走査ラインずつの画像データを読取る読取手段と、上記原稿の１頁分の画像データが記憶される容量を有し、上記読取手段により読取った１走査ラインずつの画像データを順次記憶するページメモリと、このページメモリに記憶されている１頁分の画像データを回転する回転手段と、上記ページメモリに記憶されている画像データを１走査ラインずつ読出す読出し手段と、この読出し手段により読出された１走査ラインずつの画像データ、あるいは上記回転手段により回転された１走査ラインずつの画像データに対する走査露光により像担持体上に像を形成する像形成手段と、この像形成手段により形成された像担特体上の像をトナーにより現像する現像手段と、被画像形成媒体を上記像担特体に供給する供給手段と、上記現像手段による像担特体上の現像像を、上記供給手段により供給される被画像形成媒体上に転写する転写手段と、この転写手段により現像像が転写された被画像形成媒体を排出する排出手段と、この排出手段により排出される複数枚の被画像形成媒体に対するステイブル処理を、上記被画像形成媒体の排出方向の後端側に行うステイブル手段とを有するものにおいて、
画像形成を行うために選択された機能に応じて逐次印刷処理可能かどうかを判断する判断手段と、上記判断手段の判断結果、逐次印刷処理が可能であり、
上記判断手段の判断結果、逐次印刷処理が不可であり、
　
　（１）．７　訂正事項ｇ　
  本件明細書の段落【００２０】、段落【００２２】の記載内容を削除する。　
　
　（２）訂正の目的の適否、新規事項の有無、及び特許請求の範囲の拡張・変更の存否　
　（２）．１　訂正事項ａについて　
　「
画像形成を行うために選択された機能に応じて逐次印刷処理可能かどうかを判断する判断手段と、
画像形成を行うために選択された機能に応じて逐次印刷処理可能かどうかを判断する判断手段と
　次に「
上記判断手段の判断結果、逐次印刷処理が可能であり、
上記判断手段の判断結果、逐次印刷処理が可能であり、
「 図９は、ぺージメモリ９３が１つの複写機１において、部数１、ノンソート、画像回転処理を必要としない機能を選択した場合のフローチャートである。　
　　【００６５】　
　すなわち、コピースタートを受けた後、入力タスクと印刷タスクが実行される。入力タスクと印刷タスクともに、実行するジョブのパラメータを取得する（ＳＴ１）。ジョブパラメータには、ジョブの印刷部数や、選択された機能が含まれており、選択機能に応じて逐次印刷処理が可能かどうかを判断する（ＳＴ２）。この場合は逐次印刷処理が可能であるので、逐次印刷処理を行う。」と記載されており、　
「部数１、ノンソート、画像回転処理を必要としない機能を選択した場合」とは、「第１の処理手段による編集処理を行わない場合」に相当するので、願書に添付された明細書には、逐次印刷処理が可能かどうかの判断を行い（図９のフローチャートのＳＴ２）、その結果、逐次印刷処理が可能であり、第１の処理手段による編集処理を行わない場合、が記載されていると認められる。　
　よって、「
上記判断手段の判断結果、逐次印刷処理が可能であり
　
　次に「
上記原稿の１頁分の画像データの全部が上記ページメモリに記憶されるのに
原稿の１頁分の画像データの全部が
ページメモリに記憶されるのに
上記原稿の１頁分の画像データの全部が上記ページメモリに記憶されるのに
　次に「
上記判断手段の判断結果、逐次印刷処理が不可であり、
上記判断手段の判断結果、逐次印刷処理が不可であり、
「【００７８】　
　図１０は、ページメモリ９３が１つのデジタル複写機１において、部数１、ステイプル等の回転印刷が必須な機能を選択した場合のフローチャートである。　
　【００７９】　
　コピースタートを受けた後、入力タスクと印刷タスクが実行される。入力タスクと印刷タスクともに、実行するジョブのパラメータを取得する（ＳＴ２１）。ジョブパラメータには、ジョブの印刷部数や、選択された機能が含まれており、選択機能に応じて逐次印刷処理が可能かどうかを判断する（ＳＴ２２）。この場合は、回転印刷が必須な機能が選択されているため、逐次印刷処理は不可である。このため、逐次印刷を行わない完了印刷処理で印刷する。」と記載されており、　
「部数１、ステイプル等の回転印刷が必須な機能を選択した場合」とは、「第１の処理手段による編集処理を行う場合に」に相当するので、願書に添付された明細書には、選択機能に応じて逐次印刷処理が可能かどうかを判断し（図１０のフローチャートのＳＴ２２）、・・・逐次印刷処理は不可であり、第１の処理手段による編集処理を行う場合に、とする構成が記載されていると認められる。　
　よって、「
上記判断手段の判断結果、逐次印刷処理が不可であり、
　
　以上より、訂正事項ａは、特許請求の範囲を減縮することを目的としたものであって、新規事項の追加に該当せず、実質的に特許請求の範囲を拡張し又は変更するものでない。　
　
　（２）．２　訂正事項ｂについて　
　「
画像形成を行うために選択された機能に応じて逐次印刷処理可能かどうかを判断する判断手段と、
　
　次に「
上記判断手段の判断結果、逐次印刷処理が可能であり、
上記判断手段の判断結果、逐次印刷処理が可能であり、
「 図９は、ぺージメモリ９３が１つの複写機１において、部数１、ノンソート、画像回転処理を必要としない機能を選択した場合のフローチャートである。　
　　【００６５】　
　すなわち、コピースタートを受けた後、入力タスクと印刷タスクが実行される。入力タスクと印刷タスクともに、実行するジョブのパラメータを取得する（ＳＴ１）。ジョブパラメータには、ジョブの印刷部数や、選択された機能が含まれており、選択機能に応じて逐次印刷処理が可能かどうかを判断する（ＳＴ２）。この場合は逐次印刷処理が可能であるので、逐次印刷処理を行う。」と記載されており、　
「部数１、ノンソート、画像回転処理を必要としない機能を選択した場合」とは、「第１の処理手段によるステイブル処理を行わない場合に」に相当するので、願書に添付された明細書には、逐次印刷処理が可能かどうかの判断を行い（図９のフローチャートのＳＴ２）、その結果、逐次印刷処理が可能であり、第１の処理手段によるステイブル処理を行わない場合、が記載されていると認められる。　
　よって、「
上記判断手段の判断結果、逐次印刷処理が可能であり
　
　次に「
上記原稿の１頁分の画像データの全部が上記ページメモリに記憶されるのに
　
　次に「
上記判断手段の判断結果、逐次印刷処理が不可であり、
上記判断手段の判断結果、逐次印刷処理が不可であり、
「【００７８】　
　図１０は、ページメモリ９３が１つのデジタル複写機１において、部数１、ステイプル等の回転印刷が必須な機能を選択した場合のフローチャートである。　
　【００７９】　
　コピースタートを受けた後、入力タスクと印刷タスクが実行される。入力タスクと印刷タスクともに、実行するジョブのパラメータを取得する（ＳＴ２１）。ジョブパラメータには、ジョブの印刷部数や、選択された機能が含まれており、選択機能に応じて逐次印刷処理が可能かどうかを判断する（ＳＴ２２）。この場合は、回転印刷が必須な機能が選択されているため、逐次印刷処理は不可である。このため、逐次印刷を行わない完了印刷処理で印刷する。」と記載されており、　
「部数１、ステイプル等の回転印刷が必須な機能を選択した場合」とは、「第１の処理手段によるステイブル処理を行う場合に」に相当するので、願書に添付された明細書には、選択機能に応じて逐次印刷処理が可能かどうかを判断し（図１０のフローチャートのＳＴ２２）、・・・逐次印刷処理は不可であり、第１の処理手段によるステイブル処理を行う場合に、とする構成が記載されていると認められる。　
　よって、「
上記判断手段の判断結果、逐次印刷処理が不可であり、
　
　以上より、訂正事項ｂは、特許請求の範囲を減縮することを目的としたものであって、新規事項の追加に該当せず、実質的に特許請求の範囲を拡張し又は変更するものでない。　
　
  （２）．３　訂正事項ｃについて　
　「
画像形成を行うために選択された機能に応じて逐次印刷処理可能かどうかを判断する判断手段と、
　
　次に「
上記判断手段の判断結果、逐次印刷処理が可能であり、
上記判断手段の判断結果、逐次印刷処理が可能であり、
「 図９は、ぺージメモリ９３が１つの複写機１において、部数１、ノンソート、画像回転処理を必要としない機能を選択した場合のフローチャートである。　
　　【００６５】　
　すなわち、コピースタートを受けた後、入力タスクと印刷タスクが実行される。入力タスクと印刷タスクともに、実行するジョブのパラメータを取得する（ＳＴ１）。ジョブパラメータには、ジョブの印刷部数や、選択された機能が含まれており、選択機能に応じて逐次印刷処理が可能かどうかを判断する（ＳＴ２）。この場合は逐次印刷処理が可能であるので、逐次印刷処理を行う。」と記載されており、　
「部数１、ノンソート、画像回転処理を必要としない機能を選択した場合」とは、「上記ステイブル処理が選択されていない際に、」に相当するので、願書に添付された明細書には、逐次印刷処理が可能かどうかの判断を行い（図９のフローチャートのＳＴ２）、その結果、逐次印刷処理が可能であり、上記ステイブル処理が選択されていない際に、が記載されていると認められる。　
　よって、「
上記判断手段の判断結果、逐次印刷処理が可能であり
　
　次に「
上記判断手段の判断結果、逐次印刷処理が不可であり、
上記判断手段の判断結果、逐次印刷処理が不可であり、
「【００７８】　
　図１０は、ページメモリ９３が１つのデジタル複写機１において、部数１、ステイプル等の回転印刷が必須な機能を選択した場合のフローチャートである。　
　【００７９】　
　コピースタートを受けた後、入力タスクと印刷タスクが実行される。入力タスクと印刷タスクともに、実行するジョブのパラメータを取得する（ＳＴ２１）。ジョブパラメータには、ジョブの印刷部数や、選択された機能が含まれており、選択機能に応じて逐次印刷処理が可能かどうかを判断する（ＳＴ２２）。この場合は、回転印刷が必須な機能が選択されているため、逐次印刷処理は不可である。このため、逐次印刷を行わない完了印刷処理で印刷する。」と記載されており、　
「部数１、ステイプル等の回転印刷が必須な機能を選択した場合」とは、「上記ステイブル処理が選択されている際に、」に相当するので、願書に添付された明細書には、選択機能に応じて逐次印刷処理が可能かどうかを判断し（図１０のフローチャートのＳＴ２２）、・・・逐次印刷処理は不可であり、上記ステイブル処理が選択されている際に、とする構成が記載されていると認められる。　
　よって、「
上記判断手段の判断結果、逐次印刷処理が不可であり、
　
　以上より、訂正事項ｃは、特許請求の範囲を減縮することを目的としたものであって、新規事項の追加に該当せず、実質的に特許請求の範囲を拡張し又は変更するものでない。　
　
　（２）．４　訂正事項ｄについて　
　訂正事項ｄは、上記訂正事項ａとの整合を図るものであるから、明りょうでない記載の釈明を目的とした明細書の訂正に該当する。そして、訂正事項ｄは新規事項の追加に該当せず、実質的に特許請求の範囲を拡張し又は変更するものでない。　
　
　（２）．５　訂正事項ｅについて　
　訂正事項ｅは、上記訂正事項ｂとの整合を図るものであるから、明りょうでない記載の釈明を目的とした明細書の訂正に該当する。そして、訂正事項ｅは、新規事項の追加に該当せず、実質的に特許請求の範囲を拡張し又は変更するものでない。　
　
  （２）．６　訂正事項ｆについて　
　訂正事項ｆは、上記訂正事項ｃとの整合を図るものであるから、明りょうでない記載の釈明を目的とした明細書の訂正に該当する。そして、訂正事項ｆは、新規事項の追加に該当せず、実質的に特許請求の範囲を拡張し又は変更するものでない。　
　
　（２）．７　訂正事項ｇについて　
　本件訂正請求において、「 
画像形成を行うために選択された機能に応じて逐次印刷処理可能かどうかを判断する判断手段と、
　
　（３）むすび　　
　以上のとおりであるから、上記訂正は特許法第１２０条の４第２項及び同条第３項において準用する平成１５年改正法における特許法第１２６条第２項から第４項までの規定に適合するので、当該訂正を認める。　
　
３．特許異議の申立てについて  
　（１）申立ての理由の概要　
　特許異議申立人　大木　茂　は、本件特許の請求項１ないし５に係る発明（訂正前のその特許請求の範囲の各請求項に記載された発明）は、証拠として、
　　　甲第１号証：特開平１０−１６４３３３号　
　　　甲第２号証：特開平　５−２０８５７２号　
　　　甲第３号証：特開平　７−２４５６９６号　
　　　甲第４号証：特開平１１−２８６３５３号  
を提示して、その出願前に頒布された刊行物である前記甲第１号証ないし甲第４号証に記載された発明に基づいて当業者が容易に発明をすることができたものであるから、特許法第２９条第２項の規定に違反して特許を受けることができないものであり、その特許は特許法第１１３条第１項第２号に該当するので取り消されるべきものである旨主張している。　
　
　（２）本件発明　
　上記２．で示したように上記訂正が認められるから、本件の請求項１ないし５に係る発明（以下、それぞれ「本件発明１」、「本件発明２」、「本件発明３」、「本件発明４」、「本件発明５」という。）は、上記訂正に係る訂正明細書の特許請求の範囲の請求項１ないし５に記載された次の事項により特定される次のとおりのものである。　
「【請求項１】　原稿を搬送する搬送手段と、　
　この搬送手段により搬送される原稿の画像データを読取る読取手段と、　　この読取手段により読取った画像データを記憶するページメモリと、　
　このページメモリに記憶されている画像データに対して回転処理等の編集処理を行う第１の処理手段と、　
　上記ページメモリに記憶されている画像データに基づいて被画像形成媒体に画像形成する画像形成手段と、　
　からなる画像形成装置において、　
上記第１の処理手段による編集処理を行わない場合に、　
　上記原稿の１頁分の画像データの途中まで上記ページメモリに記憶された際に、先行して上記ページメモリに記憶されている上記原稿に対する画像データを順次読出す読出手段と、　
　この読出手段により順次読出される画像データを用いて、上記画像形成手段により被画像形成媒体に画像形成する第２の処理手段と、　
　を具備したことを特徴とする画像形成装置。　
　
　【請求項２】　原稿を搬送する搬送手段と、　
この搬送手段により搬送される原稿の画像データを読取る読取手段と、　
この読取手段により読取った画像データを記憶するページメモリと、　
このページメモリに記憶されている画像データに対して回転処理等の編集処理を行う第１の処理手段と、　
上記ページメモリに記憶されている画像データに基づいて被画像形成媒体に画像形成する画像形成手段と、　
からなる画像形成装置において、　
  
画像形成を行うために選択された機能に応じて逐次印刷処理可能かどうかを判断する判断手段と、
 
上記判断手段の判断結果、逐次印刷処理が可能であり、
　上記原稿の１頁分の画像データの途中まで上記ページメモリに記憶された際に、
上記原稿の１頁分の画像データの全部が上記ページメモリに記憶されるのに
　この読出手段により順次読出される画像データを用いて、上記画像形成手段により被画像形成媒体に画像形成する第２の処理手段と、　
　
上記判断手段の判断結果、逐次印刷処理が不可であり、
この第３の処理手段により編集処理された画像データを用いて、上記画像形成手段により被画像形成媒体に画像形成する第４の処理手段と、　
を具備したことを特徴とする画像形成装置。　
　
　【請求項３】　原稿を搬送する搬送手段と、　
　この搬送手段により搬送される原稿の画像データを読取る読取手段と、　　この読取手段により読取った画像データを記憶するページメモリと、　
　このページメモリに記憶されている画像データに基づいて被画像形成媒体に画像形成する画像形成手段と、　
　この画像形成手段により画像形成された複数枚の被画像形成媒体に対してステイプル処理する第１の処理手段と、　
　からなる画像形成装置において、　
　上記第１の処理手段によるステイプル処理を行わない場合に、上記原稿の１頁分の画像データの途中まで上記ページメモリに記憶された際に、先行して上記ページメモリに記憶されている上記原稿に対する画像データを順次読出す読出手段と、　
　この読出手段により順次読出される画像データを用いて、上記画像形成手段により被画像形成媒体に画像形成する第２の処理手段と、　
　を具備したことを特徴とする画像形成装置。　
　
【請求項４】　原稿を搬送する搬送手段と、　
　この搬送手段により搬送される原稿の画像データを読取る読取手段と、　　この読取手段により読取った画像データを記憶するページメモリと、　
　このページメモリに記憶されている画像データに基づいて被画像形成媒体に画像形成する画像形成手段と、　
　この画像形成手段により画像形成された複数枚の被画像形成媒体に対してステイブル処理する第１の処理手段と、　
からなる画像形成装置において、　
  
画像形成を行うために選択された機能に応じて逐次印刷処理可能かどうかを判断する判断手段と、
  
上記判断手段の判断結果、逐次印刷処理が可能であり、
　上記原稿の１頁分の画像データの途中まで上記ページメモリに記憶された際に、
上記原稿の１頁分の画像データの全部が上記ページメモリに記憶されるのに
　この読出手段により順次読出される画像データを用いて、上記画像形成手段により被画像形成媒体に画像形成する第２の処理手段と、　
　
上記判断手段の判断結果、逐次印刷処理が不可であり、
　この第３の処理手段により回転処理された画像データを用いて、上記画像形成手段により被画像形成媒体に画像形成する第４の処理手段と、　
を具備したことを特徴とする画像形成装置。　
　
【請求項５】　原稿を搬送する搬送手段と、　
　この搬送手段により副走査方向に搬送される原稿の主走査方向の１走査ラインずつの画像データを読取る読取手段と、　
　上記原稿の１頁分の画像データが記憶される容量を有し、上記読取手段により読取った１走査ラインずつの画像データを順次記憶するページメモリと、　
　このページメモリに記憶されている１頁分の画像データを回転する回転手段と、　
　上記ページメモリに記憶されている画像データを１走査ラインずつ読出す読出し手段と、　
　この読出し手段により読出された１走査ラインずつの画像データ、あるいは上記回転手段により回転された１走査ラインずつの画像データに対する走査露光により像担持体上に像を形成する像形成手段と、  　
　この像形成手段により形成された像担特体上の像をトナーにより現像する現像手段と、　被画像形成媒体を上記像担特体に供給する供給手段と、  　上記現像手段による像担特体上の現像像を、上記供給手段により供給される被画像形成媒体上に転写する転写手段と、　
　この転写手段により現像像が転写された被画像形成媒体を排出する排出手段と、
　この排出手段により排出される複数枚の被画像形成媒体に対するステイブル処理を、上記被画像形成媒体の排出方向の後端側に行うステイブル手段とを有する画像形成装置において、　
　
画像形成を行うために選択された機能に応じて逐次印刷処理可能かどうかを判断する判断手段と、
　
上記判断手段の判断結果、逐次印刷処理が可能であり、
　上記判断手段の判断結果、逐次印刷処理が不可であり、
　からなることを特徴とする画像形成装置。」　
　
　（３）引用刊行物　
刊行物１：特開平１０−１６４３３３号公報（甲第１号証）　
刊行物２：特開平　５−２０８５７２号公報（甲第２号証）　
刊行物３：特開平　７−２４５６９６号公報（甲第３号証）　
刊行物４：特開平１１−２８６３５３号公報（甲第４号証）　
刊行物５：特開平　８−９７９９１号公報　
　
　（４）引用刊行物に記載された発明　
　（４）．１　当審が平成１７年１月１３日付けで通知した取消の理由（以下、「当審取消しの理由」という。）で引用した刊行物５（特開平８−９７９９１号公報）には、以下の事項が記載されている。　
　
　（ア）【請求項１】　読み取り指示に応答して原稿の画像を読み取り、その画像データを出力する原稿読み取り装置と、　
　前記原稿読み取り装置によって出力された画像データを記憶する画像メモリと、　
　出力指示に応答し、前記原稿読み取り装置が原稿を１枚読み取るのに必要な読み取り時間よりも短時間の出力時間を要して前記画像メモリに記憶された画像データに対応した画像を用紙に転写して出力する出力処理を行う出力装置と、　
　前記読み取り指示を前記原稿読み取り装置に与えると共に、前記原稿読み取り装置による原稿の読み取りが開始された後、所定の待機時間だけ遅れて前記出力処理が開始されるように前記出力指示を前記出力装置へ出力する制御装置とを有し、　
　前記待機時間を、前記読み取り時間と出力時間の差よりも長く、かつ、前記出力時間よりも短い時間としたことを特徴とする複写機。（第２頁第１欄第２〜１９行）　
　
　（イ）【００１５】　原稿読み取り装置１の構成を図２に示す。原稿読み取り装置１の内部には、原稿１００を所定の搬送方向に沿って搬送するための搬送ローラ１０１〜１０６が設けられている。これらの搬送ローラ１０１〜１０６は、図２において上下方向に並んだ各２個のローラが対をなすことにより計３個の搬送手段を構成している。（第３頁第３欄第４１〜４６行）　
　（ウ）【００１６】　第２番目の搬送手段たる搬送ローラ１０３および１０４と第３番目の搬送手段たる搬送ローラ１０５および１０６との間の区間には読み取りセンサ１１０が配置されている。（第３頁第４欄第３〜６行）　
　（エ）【００３０】　
　画像出力手段Ｂ５：画像メモリ２内の画像データを読み出し、この画像データに対応した画像の複写用紙への転写を出力装置３に行わせる。（第５頁第７欄第３〜５行）　
　
　（オ）【００４０】　
　図１４および図１５は、以上説明した制御によってなされる原稿の読み取り処理と複写物の出力処理のタイミング関係を示すものであり、図１４は１枚の原稿を複写した場合、図１５は複数枚の原稿の連続複写を行った場合を各々示している。これらの図に示すように、原稿の読み取り処理および出力処理は各々の終了時刻が一致するように開始時刻の制御がなされる。このように読み取り処理の終了を待たずに出力処理が開始されるため、複写開始の指示があってから第１枚目の複写物が出力されるまでの時間が短くて済む。（第６頁第９欄第１〜１０行）　
　
　「画像データを読み出し」の記載から、当然、「読み出し手段」を有しているものであるから、これら記載の事項より、刊行物５には、以下の発明（以下、「引用発明５」という。）が記載されている。　
　「原稿を所定の搬送方向に沿って搬送するための搬送手段と、　
搬送手段たる搬送ローラの間の区間には読み取りセンサ１１０が配置され原稿の画像を読取る原稿読み取り装置と、　
　この原稿読み取り装置により読取った画像データを記憶する画像メモリと、　
　上記画像メモリに記憶された画像データに対応した画像を用紙に転写して出力する出力装置と、　
　からなる複写機において、　
　読み取り処理の終了を待たずに出力処理が開始されるため、複写開始の指示があってから第１枚目の複写物が出力されるまでの時間が短くて済み、
　画像メモリ内の画像データを読み出す読み出し手段と、この画像データに対応した画像の複写用紙への転写を出力装置に行わせる画像出力手段と
を有したことを特徴とする複写機。」　
　
　（４）．２　刊行物３（特開平７−２４５６９６号公報）には、以下の事項が記載されている。　
　
　（カ）【請求項２】　請求項１に記載された画像形成装置において、　
　さらに、画像形成手段により画像の形成された用紙を複数枚重ねて綴じる紙綴じ装置と、　紙綴じ装置を用いるステープルモードと、紙綴じ装置を用いないノンステープルモードとを択一的に設定する第２設定手段を備え、　　上記第１設定手段は、第２設定手段によりステープルモードが設定された場合に逆像モードを設定し、第２設定手段によりノンステープルモードが設定された場合に正像モードを設定することを特徴とする画像形成装置。（第２頁第１欄第２０〜３０行）　
　
　（４）．３　刊行物１（特開平１０−１６４３３３号公報）には、以下の事項が記載されている。　
　
　（キ）【０００６】　
　好ましくは、画像形成装置は、第２のメモリに格納される画像を回転する画像回転手段を備える。給紙手段は、原稿と同一のサイズの用紙が原稿画像と同一方向と横方向とに供給可能である。プリント手段が、第２のメモリからデータを読み出して、給紙手段により供給される用紙に画像を出力するときに、制御手段は、原稿と同一のサイズの用紙が原稿画像と同一方向と横方向とに供給可能な場合、画像回転手段に対し画像の回転を禁止し、給紙手段に原稿画像と同一方向の用紙を自動的に給紙させる。すなわち、画像の回転を行なう場合には１頁の伸長の完了を待たなければならないが、給紙方向に長い方向の用紙のように、たとえ１頁あたりの画像出力時間が長い方の用紙であっても優先的に原稿の方向と同一の用紙を選択して給紙および画像出力をおこなう。このように、強制的に画像回転の必要のない用紙を選択することによって、１頁の原稿のすべての読み込み、伸長および圧縮の完了を待たずに、画像の出力を早く開始できる。（第３頁第３欄第９〜２６行）　
　
　（４）．４　刊行物２（特開平５−２０８５７２号公報）には、以下の事項が記載されている。　
　
　（ク）【０１９１】　
　　３．３．１　画像形成モードに応じて画像方向識別検知を選択制御多数枚原稿時、各原稿の端部余白域を検出することによって画像方向を検出し、それぞれの検出された画像データにより画像方向を識別検知する画像形成装置において、通常画像形成モード時（後処理含まず）は画像方向識別検知不作動としコピー作業の能率の低下を防ぐことが行われる。　
　　　【０１９２】　
　以下、その内容について説明する。　
　原稿の端部余白域を検出することによって画像方向を検出し、それぞれの検出された画像データにより画像方向を識別検知するためには、画像処理等の作業を行わなければならない。そして、その作業は各原稿をスキャンするごとに行わなければならず、非常に時間がかかり、通常のコピー作業の場合非効率的である。そこで通常のコピー作業の場合は、上記画像方向認識検知部を通らずにコピー作業を行うようにし、図７５に示すフローチャートのステップＳ３５１において画像方向の識別検知をするかどうかの判断をする。ステープル・パンチ等の後処理を行う場合は、無条件で方向識別検知を行うものとし、方向識別フラグがセットされる。方向識別フラグがセットされている時はステップＳ３５２の画像方向識別検知モードへ進む。コピー終了後、ステップＳ３５４のステープルモード（後処理モード）へすすみ、処理終了後ステップＳ３５５の待機モードへ進み、オペレータによるキー入力指示を待つ。方向識別フラグがオフの時はステップＳ３５３の通常コピーモードへ進み、コピー終了後ステップＳ３５５の待機モードへすすみ、オペレータによるキー入力指示を待つ。　
　　　【０１９３】　
　このように、原稿の端部余白域を検出することによって画像方向を検出し、画像方向を識別検知する画像形成装置において、通常画像形成モード時（後処理含まず）は画像方向識別検知不作動とすることにより、コピー作業の能率の低下を防ぐことができる。（第２３頁第４３欄第４５行〜第４４欄第２８行）　
　
　（４）．５　刊行物４（特開平１１−２８６３５３号公報）には、以下の事項が記載されている。　
　
　（ケ）【００３６】　
　ページメモリ３０６は所定サイズの原稿１ページ分の記憶容量を有する。ビデオデータは、ビデオデータは上述した原稿画像読取り走査により読み取った順にページメモリ３０６に格納される。原稿固定読取り時には、この格納されたビデオデータは格納された順に読み出される。又、原稿流し読取り時には、この格納されたビデオデータは主走査方向に関しては逆順に、副走査方向に関しては格納された順に読み出される。つまり、原稿流し読取り時には、主走査方向の一方の向きに対して読み取った画像をその主走査方向の一方の向きに対して逆向きに反転させることによって、鏡像処理が行なわれる。　
　　　【００３７】　
　尚、この鏡像処理は、ページメモリ３０６に格納する時点で、原稿流し読取り時には、主走査方向を逆転させておき、読み出す時点では、常に決まった方向に読み出しても実現できる。　
　　　【００３８】　
　ページメモリ３０６から読み出されたビデオデータは、必要に応じて一旦ＨＤＤ（ハードディスク装置）３０７に格納され、このＨＤＤ３０７から読み出されたビデオデータはビデオ信号としてプリンタ制御部２０４に送出される。例えば、複数ページのコピー出力を行うときには、１ページ目のビデオデータはページメモリ３０６からプリンタ制御部２０４に直接出力されるが、２ページ以降のビデオデータは一旦ＨＤＤ３０７に格納された後にプリンタ制御部２０４に送出される。（第５頁第７欄第３５行〜第８欄第９行）　
　（５）対比・判断　
　　イ．本件発明１に関して、　
　（ａ）本件発明１と上記引用発明５とを比較すると、  　
　引用発明５と本件発明１は、共に原稿を複写するための装置で一致するので、引用発明５の「複写機」は、本件発明１の「画像形成装置」に相当する。　
　また、引用発明５の「原稿読み取り装置」、「画像メモリ」、「用紙」、「出力装置」、「読み出し手段」、「画像出力手段」は、本件発明１の「読取手段」、「ページメモリ」、「被画像形成媒体」、「画像形成手段」、「読出手段」、「第２の処理手段」に相当する。　
　さらに、「第１の処理手段による編集処理を行わない場合」は、引用発明５の「第１の処理手段」に相当する構成を有しないのと同等であると認められる。　
　
　（ｂ）したがって、引用発明５と本件発明１とは、次の一致点を有し、後述する相違点を有する。　
【一致点】　
「原稿を搬送する搬送手段と、　
　この搬送手段により搬送される原稿の画像データを読取る読取手段と、この読取手段により読取った画像データを記憶するページメモリと、　
　上記ページメモリに記憶されている画像データに基づいて被画像形成媒体に画像形成する画像形成手段と、　
　からなる画像形成装置において、　
　第１の処理手段による編集処理を行わない場合に、
　上記ページメモリに記憶されている上記原稿に対する画像データを順次読出す読出手段と、　
　この読出手段により順次読出される画像データを用いて、上記画像形成手段により被画像形成媒体に画像形成する第２の処理手段と、　
　を具備したことを特徴とする画像形成装置。」　
　
【相違点１】　本件発明１は、「このページメモリに記憶されている画像データに対して回転処理等の編集処理を行う第１の処理手段」を有しているのに対して、引用発明５は、そのような手段を有していない点。　
　
【相違点２】　本件発明１は、「原稿の１頁分の画像データの途中まで上記ページメモリに記憶された際に、先行して」と記載されているのに対して、引用発明５には、読み取り処理の終了を待たずに出力処理が開始されると記載されている点。
　
　（ｃ）上記相違点についての検討　
　上記【相違点１】について　
　画像データに対して第１の処理手段に相当する回転処理等の編集処理を行う手段を画像形成装置に設けることは、周知であり（周知例：特開平１０−１６４３３３号公報）、引用発明５も画像形成装置であるから、この周知の技術を引用発明５に適用することは、当業者が容易に想到し得るものである。　
　
　上記【相違点２】について　
　引用発明５の読み取り処理の終了を待たずに出力処理が開始されるとは、一枚の原稿をすべて読み込む前に、出力処理を開始することであるから、実質的には、「原稿の１頁分の画像データの途中まで上記ページメモリに記憶された際に、先行して」と同等の構成が引用発明５に記載されている。　
　
　（ｄ）まとめ
　したがって、本件発明１は刊行物５に記載の発明及び周知の事項に基づいて当業者が容易に発明できたものであるから、本件発明１の特許は、特許法２９条第２項の規定に違反してされたものである。　
　
　　ロ．本件発明２に関して、　
　（ａ）本件発明２と上記引用発明５とを比較すると、　
　引用発明５と本件発明２は、共に原稿を複写するための装置で一致するので、引用発明５の「複写機」は、本件発明２の「画像形成装置」に相当する。　
　また、引用発明５の「原稿読み取り装置」、「画像メモリ」、「用紙」、「出力装置」、「読み出し手段」、「画像出力手段」は、本件発明２の「読取手段」、「ページメモリ」、「被画像形成媒体」、「画像形成手段」、「読出手段」、「第２の処理手段」に相当する。　
　さらに、「第１の処理手段による編集処理を行わない場合」は、引用発明５は「第１の処理手段」に相当する構成を有しないので、「第１の処理手段による編集処理を行わない場合」と同等であると認められる。　
　
　（ｂ）したがって、引用発明５と本件発明２とは、次の一致点を有し、後述する相違点を有する。　
【一致点】　
「原稿を搬送する搬送手段と、　
　この搬送手段により搬送される原稿の画像データを読取る読取手段と、　　この読取手段により読取った画像データを記憶するページメモリと、　
　上記ページメモリに記憶されている画像データに基づいて被画像形成媒体に画像形成する画像形成手段と、　
　からなる画像形成装置において、　
　上記原稿の１頁分の画像データの途中まで上記ページメモリに記憶された際に、先行して上記ページメモリに記憶されている上記原稿に対する画像データを順次読出す読出手段と、　
　この読出手段により順次読出される画像データを用いて、上記画像形成手段により被画像形成媒体に画像形成する第２の処理手段と、　
　を具備したことを特徴とする画像形成装置。」　
　
【相違点３】　本件発明２は、「このページメモリに記憶されている画像データに対して回転処理等の編集処理を行う第１の処理手段と」を有しているのに対して、引用発明５には、そのような手段を有していない点。　
　
【相違点４】　本件発明２は、「
画像形成を行うために選択された機能に応じて逐次処理可能かどうかを判断する判断手段と
　
【相違点５】　本件発明２は、「
上記判断手段の判断結果、逐次印刷処理が可能であり、
【相違点６】　本件発明２は、「上記原稿の１頁分の画像データの途中まで上記ページメモリに記憶された際に、
上記原稿の１頁分の画像データの全部が上記ページメモリに記憶されるのに
　
【相違点７】　本件発明２は、「
上記判断手段の判断結果、逐次印刷処理が不可であり、
　この第３の処理手段により編集処理された画像データを用いて、上記画像形成手段により被画像形成媒体に画像形成する第４の処理手段と」を有するのに対して、引用発明５は、そのような手段を有していない点。　
　
　（ｃ）上記相違点についての検討　
　上記【相違点４】について　
　
画像形成を行うために選択された機能に応じて逐次処理可能かどうかを判断する判断手段
画像形成を行うために選択された機能に応じて逐次処理可能かどうかを判断する判断手段
　
　（ｄ）まとめ　
　してみると、上記【相違点３】、【相違点５】、【相違点６】及び【相違点７】を検討するまでもなく、本件発明２に係る発明は、刊行物１ないし５に記載された発明に基づいて当業者が容易に発明することができたものとすることができないので、本件発明２の特許は、特許法２９条第２項の規定に違反してなされたものでない。　
　
　　ハ．本件発明３に関して、　
　（ａ）本件発明３と上記引用発明５とを比較すると、  
　引用発明５と本件発明３は、共に原稿を複写するための装置で一致するので、引用発明５の「複写機」は、本件発明３の「画像形成装置」に相当する。　
　また、引用発明５の「原稿読み取り装置」、「画像メモリ」、「用紙」、「出力装置」、「読み出し手段」、「画像出力手段」は、本件発明３の「読取手段」、「ページメモリ」、「被画像形成媒体」、「画像形成手段」、「読出手段」、「第２の処理手段」に相当する。　
　さらに、「第１の処理手段によるステイブル処理を行わない場合」は、引用発明５は「第１の処理手段」に相当する構成を有しないので、「第１の処理手段によるステイブル処理を行わない場合」と同等であると認められる。　　
　（ｂ）したがって、引用発明５と本件発明３とは、次の一致点を有し、後述する相違点を有する。　
【一致点】　
「原稿を搬送する搬送手段と、　
　この搬送手段により搬送される原稿の画像データを読取る読取手段と、　　この読取手段により読取った画像データを記憶するページメモリと、　
　上記ページメモリに記憶されている画像データに基づいて被画像形成媒体に画像形成する画像形成手段と、　
　からなる画像形成装置において、　
　上記第１の処理手段によるステイプル処理を行わない場合に、上記原稿の１頁分の画像データの途中まで上記ページメモリに記憶された際に、先行して上記ページメモリに記憶されている上記原稿に対する画像データを順次読出す読出手段と、　
　この読出手段により順次読出される画像データを用いて、上記画像形成手段により被画像形成媒体に画像形成する第２の処理手段と、　
　を具備したことを特徴とする画像形成装置。」　
　
【相違点８】本件発明３は、「この画像形成手段により画像形成された複数枚の被画像形成媒体に対してステイプル処理する第１の処理手段」を有しているのに対して、引用発明５は、そのような手段を有していない点。　
　
【相違点９】本件発明３は、「原稿の１頁分の画像データの途中まで上記ページメモリに記憶された際に、先行して」と記載されているのに対して、引用発明５には、読み取り処理の終了を待たずに出力処理が開始されると記載されている点。　
　
　（ｃ）上記相違点についての検討　
　上記【相違点８】について　
　画像データに対して第１の処理手段に相当する画像形成された複数枚の被画像形成媒体に対してステイプル処理する手段を画像形成装置に設けることは、刊行物３に記載（（４）．２（カ）参照）の様に、画像形成装置においては、ステイブル処理を設けることは、周知の事項であるから、この周知の事項を同一技術分野に属する引用発明５に適用することは、当業者が容易に想到し得るものである。　
　
　上記【相違点９】について　
　引用発明５の読み取り処理の終了を待たずに出力処理が開始されるとは、一枚の原稿をすべて読み込む前に、出力処理を開始することであるから、実質的には、「原稿の１頁分の画像データの途中まで上記ページメモリに記憶された際に、先行して」と同等の構成が引用発明５に記載されている。　
　
　（ｄ）まとめ
　したがって、本件発明３は刊行物５及び刊行物３に記載の発明及び周知の事項に基づいて当業者が容易に発明できたものであるから、本件発明３の特許は、特許法２９条第２項の規定に違反してされたものである。　
　
　　ニ．本件発明４に関して、　
　（ａ）本件発明４と上記引用発明５とを比較すると、　
　引用発明５と本件発明４は、共に原稿を複写するための装置で一致するので、引用発明５の「複写機」は、本件発明４の「画像形成装置」に相当する。　
　また、引用発明５の「原稿読み取り装置」、「画像メモリ」、「用紙」、「出力装置」、「読み出し手段」、「画像出力手段」は、本件発明３の「読取手段」、「ページメモリ」、「被画像形成媒体」、「画像形成手段」、「読出手段」、「第２の処理手段」に相当する。　
　さらに、「第１の処理手段によるステイブル処理を行わない場合」は、引用発明５は「第１の処理手段」に相当する構成を有しないので、「第１の処理手段によるステイブル処理を行わない場合」と同等であると認められる。　
　（ｂ）したがって、引用発明５と本件発明４とは、次の一致点を有し、後述する相違点を有する。　
【一致点】　
「原稿を搬送する搬送手段と、　
　この搬送手段により搬送される原稿の画像データを読取る読取手段と、　　この読取手段により読取った画像データを記憶するページメモリと、　
　上記ページメモリに記憶されている画像データに基づいて被画像形成媒体に画像形成する画像形成手段と、　
　からなる画像形成装置において、　
　上記原稿の１頁分の画像データの途中まで上記ページメモリに記憶された際に、先行して上記ページメモリに記憶されている上記原稿に対する画像データを順次読出す読出手段と、　
　この読出手段により順次読出される画像データを用いて、上記画像形成手段により被画像形成媒体に画像形成する第２の処理手段と、　
　を具備したことを特徴とする画像形成装置。」　
　
【相違点１０】　本件発明４は、「この画像形成手段により画像形成された複数枚の被画像形成媒体に対してステイプル処理する第１の処理手段」を有しているのに対して、引用発明５は、そのような手段を有していない点。　　
【相違点１１】　本件発明４は、「
画像形成を行うために選択された機能に応じて逐次処理可能かどうかを判断する判断手段と
　
【相違点１２】　本件発明４は、「
上記判断手段の判断結果、逐次印刷処理が可能であり、
　
【相違点１３】　本件発明４は、「上記原稿の１頁分の画像データの途中まで上記ページメモリに記憶された際に、
上記原稿の１頁分の画像データの全部が上記ページメモリに記憶されるのに
　
【相違点１４】　本件発明４は、「
上記判断手段の判断結果、逐次印刷処理が不可であり、
この第３の処理手段により回転処理された画像データを用いて、上記画像形成手段により被画像形成媒体に画像形成する第４の処理手段と、　
　を具備したこと」を有するのに対して、引用発明５は、そのような手段を有していない点。　
　
　（ｃ）上記相違点について検討すると、　
　上記【相違点１１】について　
　
画像形成を行うために選択された機能に応じて逐次処理可能かどうかを判断する判断手段
画像形成を行うために選択された機能に応じて逐次処理可能かどうかを判断する判断手段
　
　（ｄ）まとめ　
　してみると、上記【相違点１０】、【相違点１２】、【相違点１３】及び【相違点１４】を検討するまでもなく、本件発明４に係る発明は、刊行物１ないし５に記載された発明に基づいて当業者が容易に発明することができたものとすることができないので、本件発明４の特許は、特許法２９条第２項の規定に違反してなされたものでない。　
　
　　ホ．本件発明５に関して、　
　（ａ）本件発明５と上記引用発明５とを比較すると、　
　引用発明５と本件発明５は、共に原稿をコピーするための装置で一致するので、引用発明５の「複写機」は、本件発明５の「画像形成装置」に相当する。
　また、引用発明５の「原稿読み取り装置」、「画像メモリ」、「用紙」、「読み出し手段」、「画像出力手段」は、本件発明５の「読取手段」、「ページメモリ」、「被画像形成媒体」、「読出し手段」、「第１の処理手段」に相当する。　
　さらに、「ステイブル処理が選択されていない際に」は、引用発明５は「ステイブル処理」に相当する構成を有しないので、「ステイブル処理が選択されていない際に」と同等であると認められる。　
　
　（ｂ）したがって、引用発明５と本件発明５とは、次の一致点を有し、後述する相違点を有する。　
【一致点】　
「原稿を搬送する搬送手段と、　
　この搬送手段により画像データを読取る読取手段と、　
　上記原稿の画像データが記憶される容量を有し、上記読取手段により読取った画像データを順次記憶するページメモリと、　
　　上記ページメモリに記憶されている画像データを読出す読出し手段と、　を有する画像形成装置。」　
　
【相違点１５】　本件発明５の画像データは、「副走査方向に搬送される原稿の主走査方向の１走査ラインずつの画像データ」であるのに対して、引用発明５の画像データについて、そのような記載がされていない点。　
　
【相違点１６】　本件発明５のページメモリに関して、「原稿の１頁分の画像データが記憶される容量」であり、「読取手段により読取った１走査ラインずつの画像データ」としているのに対して、引用発明５はページメモリの容量および画像データについて、そのような記載がされていない点。　
　
【相違点１７】　本件発明５は、「このページメモリに記憶されている１頁分の画像データを回転する回転手段と」を有しているのに対して、引用発明５は、そのような手段を有していない点。　
　
【相違点１８】　本件発明５の読出し手段は、「上記ページメモリに記憶されている画像データを１走査ラインずつ読出す読出し手段と、」を有しているのに対して、引用発明５の読出し手段は、１走査ラインずつという限定をしていない点。　
　
【相違点１９】　本件発明５は、「この読出し手段により読出された１走査ラインずつの画像データ、あるいは上記回転手段により回転された１走査ラインずつの画像データに対する走査露光により像担持体上に像を形成する像形成手段と、  　
　この像形成手段により形成された像担特体上の像をトナーにより現像する現像手段と、　
被画像形成媒体を上記像担特体に供給する供給手段と、  　
上記現像手段による像担特体上の現像像を、上記供給手段により供給される被画像形成媒体上に転写する転写手段と、　
　この転写手段により現像像が転写された被画像形成媒体を排出する排出手段と、
　この排出手段により排出される複数枚の被画像形成媒体に対するステイブル処理を、上記被画像形成媒体の排出方向の後端側に行うステイブル手段と」を有しているのに対して、引用発明５は、そのような手段を有していない点。　
　
【相違点２０】　本件発明５は、「この排出手段により排出される複数枚の被画像形成媒体に対するステイブル処理を、上記被画像形成媒体の排出方向の後端側に行うステイブル手段と」を有しているのに対して、引用発明５は、そのような手段を有していない点。　
　
【相違点２１】　本件発明５は、「
画像形成を行うために選択された機能に応じて逐次印刷処理可能かどうかを判断する判断手段と
　
【相違点２２】　本件発明５は、「
上記判断手段の判断結果、逐次印刷処理が可能であり、
　
【相違点２３】　本件発明５は、「上記読取手段により読取った１走査ラインずつの画像データの上記ページメモリへの記憶を順次行うとともに、このページメモリに先に記憶された１走査ラインずつの画像データを上記読出し手段により読み出し、この読出された１走査ラインずつの画像データに基づいて上記像形成手段により像担特体上に像を形成し、この像を上記現像手段により現像し、この現像像を上記供給手段により供給される被画像形成媒体に転写した後、上記排出手段により排出する第１の処理手段」を有しているのに対して、引用発明５は、読み取り処理の終了を待たずに出力処理が開始されるため、複写開始の指示があってから第１枚目の複写物が出力されるまでの時間が短くて済み、画像メモリ内の画像データを読み出す読み出し手段と、この画像データに対応した画像の複写用紙への転写を出力装置に行わせる画像出力手段とを有している点。　
　
【相違点２４】　本件発明５は、「
上記判断手段の判断結果、逐次印刷処理が不可であり、
　
　（ｃ）上記相違点についての検討　
　上記【相違点２１】について　
　
画像形成を行うために選択された機能に応じて逐次処理可能かどうかを判断する判断手段と
画像形成を行うために選択された機能に応じて逐次処理可能かどうかを判断する判断手段と
　
　（ｄ）まとめ　
　してみると、上記【相違点１５】ないし【相違点２０】、及び【相違点２２】ないし【相違点２４】を検討するまでもなく、本件発明５に係る発明は、刊行物１ないし５に記載された発明に基づいて当業者が容易に発明することができたものとすることができないので、本件発明５の特許は、特許法２９条第２項の規定に違反してなされたものでない。　
　
　（６）むすび　
　以上のとおりであるから、本件請求項１，３に係る発明は、上記刊行物５、刊行物３及び周知慣用事項に基づいて、当業者が容易に発明をすることができたものであるから、本件請求項１，３に係る発明の特許は特許法第２９条第２項の規定に違反してされたものである。　
　したがって、請求項１，３に係る発明の特許は、特許法第１１３条第１項第２号に該当し、取り消されるべきものである。　
　訂正後の本件請求項２，４，５に係る発明の特許は、特許異議の申立ての理由によって取り消すことはできず、また、他に取り消しの理由を発見しない。　
　
　よって、結論のとおり決定する。
【異議決定日】
平成１７年９月６日（２００５．９．６）
【訂正の要旨】
審決（決定）の【理由】欄参照。
（５４）【発明の名称】
画像形成装置
（５７）【特許請求の範囲】
　【請求項１】原稿を搬送する搬送手段と、
この搬送手段により搬送される原稿の画像データを読取る読取手段と、
この読取手段により読取った画像データを記憶するページメモリと、
このページメモリに記憶されている画像データに対して回転処理等の編集処理を行う第１の処理手段と、
上記ページメモリに記憶されている画像データに基づいて被画像形成媒体に画像形成する画像形成手段と、
からなる画像形成装置において、
上記第１の処理手段による編集処理を行わない場合に、
上記原稿の１頁分の画像データの途中まで上記ページメモリに記憶された際に、先行して上記ページメモリに記憶されている上記原稿に対する画像データを順次読出す読出手段と、
この読出手段により順次読出される画像データを用いて、上記画像形成手段により被画像形成媒体に画像形成する第２の処理手段と、
を具備したことを特徴とする画像形成装置。
　【請求項２】原稿を搬送する搬送手段と、
この搬送手段により搬送される原稿の画像データを読取る読取手段と、
この読取手段により読取った画像データを記憶するページメモリと、
このページメモリに記憶されている画像データに対して回転処理等の編集処理を行う第１の処理手段と、
上記ページメモリに記憶されている画像データに基づいて被画像形成媒体に画像形成する画像形成手段と、
からなる画像形成装置において、
　画像形成を行うために選択された機能に応じて逐次印刷処理可能かどうかを判断する判断手段と、
　上記判断手段の判断結果、逐次印刷処理が可能であり、
　上記原稿の１頁分の画像データの途中まで上記ページメモリに記憶された際に、
上記原稿の１頁分の画像データの全部が上記ページメモリに記憶されるのに
　この読出手段により順次読出される画像データを用いて、上記画像形成手段により被画像形成媒体に画像形成する第２の処理手段と、
　
上記判断手段の判断結果、逐次印刷処理が不可であり、
この第３の処理手段により編集処理された画像データを用いて、上記画像形成手段により被画像形成媒体に画像形成する第４の処理手段と、
を具備したことを特徴とする画像形成装置。
　【請求項３】原稿を搬送する搬送手段と、
この搬送手段により搬送される原稿の画像データを読取る読取手段と、
この読取手段により読取った画像データを記憶するページメモリと、
このページメモリに記憶されている画像データに基づいて被画像形成媒体に画像形成する画像形成手段と、
この画像形成手段により画像形成された複数枚の被画像形成媒体に対してステイプル処理する第１の処理手段と、
からなる画像形成装置において、
上記第１の処理手段によるステイプル処理を行わない場合に、
上記原稿の１頁分の画像データの途中まで上記ページメモリに記憶された際に、先行して上記ページメモリに記憶されている上記原稿に対する画像データを順次読出す読出手段と、
この読出手段により順次読出される画像データを用いて、上記画像形成手段により被画像形成媒体に画像形成する第２の処理手段と、
を具備したことを特徴とする画像形成装置。
　【請求項４】原稿を搬送する搬送手段と、
　この搬送手段により搬送される原稿の画像データを読取る読取手段と、
　この読取手段により読取った画像データを記憶するページメモリと、
　このページメモリに記憶されている画像データに基づいて被画像形成媒体に画像形成する画像形成手段と、
　この画像形成手段により画像形成された複数枚の被画像形成媒体に対してステイプル処理する第１の処理手段と、
からなる画像形成装置において、
　画像形成を行うために選択された機能に応じて逐次印刷処理可能かどうかを判断する判断手段と、
　上記判断手段の判断結果、逐次印刷処理が可能であり、
　上記原稿の１頁分の画像データの途中まで上記ページメモリに記憶された際に、
上記原稿の１頁分の画像データの全部が上記ページメモリに記憶されるのに
　この読出手段により順次読出される画像データを用いて、上記画像形成手段により被画像形成媒体に画像形成する第２の処理手段と、
　
上記判断手段の判断結果、逐次印刷処理が不可であり、
　この第３の処理手段により回転処理された画像データを用いて、上記画像形成手段により被画像形成媒体に画像形成する第４の処理手段と、
を具備したことを特徴とする画像形成装置。
　【請求項５】原稿を搬送する搬送手段と、
　この搬送手段により副走査方向に搬送される原稿の主走査方向の１走査ラインずつの画像データを読取る読取手段と、
　上記原稿の１頁分の画像データが記憶される容量を有し、上記読取手段により読取った１走査ラインずつの画像データを順次記憶するページメモリと、
　このページメモリに記憶されている１頁分の画像データを回転する回転手段と、
　上記ページメモリに記憶されている画像データを１走査ラインずつ読出す読出し手段と、
　この読出し手段により読出された１走査ラインずつの画像データ、あるいは上記回転手段により回転された１走査ラインずつの画像データに対する走査露光により像担持体上に像を形成する像形成手段と、
　この像形成手段により形成された像担持体上の像をトナーにより現像する現像手段と、
　被画像形成媒体を上記像担持体に供給する供給手段と、
上記現像手段による像担持体上の現像像を、上記供給手段により供給される被画像形成媒体上に転写する転写手段と、
　この転写手段により現像像が転写された被画像形成媒体を排出する排出手段と、
　この排出手段により排出される複数枚の被画像形成媒体に対するステイプル処理を、上記被画像形成媒体の排出方向の後端側に行うステイプル手段とを有する画像形成装置において、
　画像形成を行うために選択された機能に応じて逐次印刷処理可能かどうかを判断する判断手段と、
　上記判断手段の判断結果、逐次印刷処理が可能であり、
　
上記判断手段の判断結果、逐次印刷処理が不可であり、
　からなることを特徴とする画像形成装置。
【発明の詳細な説明】
　【０００１】
　【発明の属する技術分野】
　この発明は、原稿画像を読取り、この読取り画像を用紙に複写するデジタル複写機等の画像形成装置に関する。
　【０００２】
　【従来の技術】
　一般に、自動原稿送り装置（ＡＤＦ：オート　ドキュメント　フィーダ）により搬送される原稿あるいは原稿載置台（読み取りガラス面）に載置された原稿をスキャナ部により読取り、この読取った原稿画像をページメモリに記憶し、この記憶されている画像を用いてプリンタ部により用紙上に順次複写を行い、上記原稿に対する用紙を得、この得られた用紙にステイプル処理を施すデジタル複写機が実用化されている。
　【０００３】
　上記ステイプル処理は、ソータ（フィニッシャ）に備えられているステイプラにより行われるホッチキス止めであり、ノンソート時には行われない処理である。
　【０００４】
　このデジタル複写機では、上記スキャナ部によるＡＤＦからの原稿の読取りが、副走査方向への移動を行わずにラインセンサにより主走査方向に対する１ラインずつの読取り走査（ラインバッファに登録される）が行われるようになっている。
　【０００５】
　また、上記スキャナ部による原稿載置台に載置された原稿の読取りが、副走査方向への移動を行いながらラインセンサにより主走査方向に対する１ラインずつの読取り走査が行われるようになっている。
　【０００６】
　また、上記プリンタ部では、ページメモリからの画像に基づいてレーザによる露光手段により感光体ドラム上に露光像を形成し、この露光像を現像器により顕像化して、用紙に転写した後、定着することにより、プリント（印刷）が行われるようになっている。
　【０００７】
　また、入力された画像データに対してさまざまな画像処理を行うことが可能である。フィニッシング機能など、印刷画像の向きが制限されているものに対しては、適切な向きに回転させた画像データを露光する。
　【０００８】
　読み取りガラス面にコピーしたい面を下向きにして原稿をセットした場合の画像の入力と印刷とを図１を用いて説明する。
　【０００９】
　すなわち、画像は、（ａ）に示すように、原稿の右側から左側に向かって入力される。この画像データを、（ｂ）に示すように、ページメモリに登録することで画像データを蓄積し、この蓄積された画像データを読出してから、（ｃ）に示すように、露光を行うことで、（ｄ）に示すように、用紙の搬送方向の後方にステイプルのとじしろが付くように出力される。
　【００１０】
　図２の（ａ）から（ｃ）のように、原稿を左方向に搬送しながら読み取るＡＤＦを用いて画像を入力する場合に、図２の（ａ）のように、原稿をコピーしたい面を上にして原稿をセットした場合には、画像は原稿の左側から右側に向かって入力される。この画像データを読み取りながらページメモリに登録した場合には画像データは原稿を鏡像処理した状態になっている（図３参照）ので、露光する前に鏡像処理を行う必要がある。
　【００１１】
　スルーリードＡＤＦ使用時に画像処理を行わないで印刷した場合の画像の入力と印刷とを図３を用いて説明する。
　【００１２】
　すなわち、画像は、（ａ）に示すように、原稿の左側から右側に向かって入力される。この画像データを、（ｂ）に示すように、ページメモリに登録することで画像データを登録し、この登録された画像データを読出してから、（ｃ）に示すように、露光を行うことで、（ｄ）に示すように、用紙の搬送方向の後方にステイプルのとじしろが付くように出力される。
　【００１３】
　鏡像処理した画像データを露光すると、用紙の搬送方向の前方にステイプルのとじしろがつくように出力されてしまう。この状態では、正常にステイプルを行うことができないので、露光する前に画像データを１８０度回転する。（図４参照）スルーリードＡＤＦ使用時に画像処理を行って印刷した場合の画像の入力と印刷とを図４を用いて説明する。
　【００１４】
　すなわち、画像は、（ａ）に示すように、原稿の左側から右側に向かって入力される。この画像データを、鏡像処理を行って、（ｂ）に示すように、ページメモリに登録することで画像データを登録し、（ｃ）に示すように、この登録された画像データに対して１８０度の回転処理を行って、この回転処理された画像データを読出してから、（ｄ）に示すように、露光を行うことで、（ｅ）に示すように、用紙の搬送方向の後方にステイプルのとじしろが付くように出力される。
　【００１５】
　画像データの回転は、ページバッファにおける画像の呼び出し位置を変更することによって実現している。（図５参照）回転印刷時におけるページメモリ上の画像の読出し位置について、図５を用いて説明する。
　【００１６】
　すなわち、回転無しの場合、（ａ）に示すように、ページメモリ上の左上から読出し、９０度右回転の場合、（ｂ）に示すように、ページメモリ上の左下から読出し、９０度左回転の場合、（ｃ）に示すように、ページメモリ上の右上から読出し、１８０度回転の場合、（ｄ）に示すように、ページメモリ上の右下から読出すようになっている。
　【００１７】
　上記したように、ＡＤＦからの原稿を読取って印刷する際に、上記回転処理が伴うので、読み取った１頁分の画像データをページバッファに登録し、この１頁分が登録された後に画像データの印刷を行う完了形の印刷処理が行われるようになっている。
　【００１８】
　しかし、上記ステイプルを使用しない場合であっても、１枚ずつの原稿ごとに、１頁分の画像データがページバッファに登録された後にしか、印刷できなかったため、時間が掛かってしまうという欠点がある。
　【００１９】
　【発明が解決しようとする課題】
　この発明は、自動原稿送り装置により搬送される原稿に対する画像形成を行う際に、回転処理を伴わない画像形成時に、画像形成時間の短縮を図ることができる画像形成装置を提供することを目的としている。
　【００２０】
　【００２１】
　この発明は、原稿を搬送する搬送手段と、この搬送手段により搬送される原稿の画像データを読取る読取手段と、この読取手段により読取った画像データを記憶するページメモリと、このページメモリに記憶されている画像データに対して回転処理等の編集処理を行う第１の処理手段と、上記ページメモリに記憶されている画像データに基づいて被画像形成媒体に画像形成する画像形成手段とからなるものにおいて、
画像形成を行うために選択された機能に応じて逐次印刷処理可能かどうかを判断する判断手段と、上記判断手段の判断結果、逐次印刷処理が可能であり、
上記原稿の１頁分の画像データの全部が上記ページメモリに記憶されるのに
上記判断手段の判断結果、逐次印刷処理が不可であり、
　【００２２】
　【００２３】
　この発明の画像形成装置は、原稿を搬送する搬送手段と、この搬送手段により搬送される原稿の画像データを読取る読取手段と、この読取手段により読取った画像データを記憶するページメモリと、このページメモリに記憶されている画像データに基づいて被画像形成媒体に画像形成する画像形成手段と、この画像形成手段により画像形成された複数枚の被画像形成媒体に対してステイプル処理する第１の処理手段とからなるものにおいて、
画像形成を行うために選択された機能に応じて逐次印刷処理可能かどうかを判断する判断手段と、上記判断手段の判断結果、逐次印刷処理が可能であり、
上記原稿の１頁分の画像データの全部が上記ページメモリに記憶されるのに
上記判断手段の判断結果、逐次印刷処理が不可であり、
　【００２４】
　この発明の画像形成装置は、原稿を搬送する搬送手段と、この搬送手段により副走査方向に搬送される原稿の主走査方向の１走査ラインずつの画像データを読取る読取手段と、上記原稿の１頁分の画像データが記憶される容量を有し、上記読取手段により読取った１走査ラインずつの画像データを順次記憶するページメモリと、このページメモリに記憶されている１頁分の画像データを回転する回転手段と、上記ページメモリに記憶されている画像データを１走査ラインずつ読出す読出し手段と、この読出し手段により読出された１走査ラインずつの画像データ、あるいは上記回転手段により回転された１走査ラインずつの画像データに対する走査露光により像担持体上に像を形成する像形成手段と、この像形成手段により形成された像担持体上の像をトナーにより現像する現像手段と、被画像形成媒体を上記像担持体に供給する供給手段と、上記現像手段による像担持体上の現像像を、上記供給手段により供給される被画像形成媒体上に転写する転写手段と、この転写手段により現像像が転写された被画像形成媒体を排出する排出手段と、この排出手段により排出される複数枚の被画像形成媒体に対するステイプル処理を、上記被画像形成媒体の排出方向の後端側に行うステイプル手段とを有するものにおいて、
画像形成を行うために選択された機能に応じて逐次印刷処理可能かどうかを判断する判断手段と、上記判断手段の判断結果、逐次印刷処理が可能であり、
上記判断手段の判断結果、逐次印刷処理が不可であり、
　【００２５】
　【発明の実施の形態】
　以下、この発明の実施の形態について図面を参照して説明する。
　【００２６】
　図６はこの発明の画像形成装置の一例としてのデジタル複写機１の概略構成を示す断面図である。
　【００２７】
　図６に示すように、デジタル複写機１は装置本体２を備え、この装置本体２内には、読取手段としてのスキャナ部４、および画像形成手段として機能するプリンタ部６が設けられている。
　【００２８】
　装置本体２の上面には、読取対象物、つまり原稿Ｄが載置される透明なガラスからなる原稿載置台８が設けられている。また、装置本体２の上面には、原稿載置台８上に原稿Ｄを自動的に送る搬送手段としての自動原稿送り装置９（以下、ＡＤＦと称する）が配設されている。
　【００２９】
　このＡＤＦ９の原稿トレイ９ａに置かれた原稿Ｄは、図示しない搬送ガイドによって搬送されプラテンローラ９ｂを介して排紙トレイ９ｃ上に排出されるようになっている。これにより、原稿Ｄがプラテンローラ９ｂにより搬送されている際に、後述するスキャナ部４の露光ランプ１０により露光走査されることにより、原稿Ｄの画像の読取りが行われるようになっている。
　【００３０】
　上記ＡＤＦ９の原稿トレイ９ａには、原稿Ｄの読取面を上側にしてセットされ、一番上の原稿Ｄから順に１枚ずつ取込まれるようになっている。
　【００３１】
　装置本体２内に配設されたスキャナ部４は、ＡＤＦ９により搬送される原稿Ｄあるいは原稿載置台８に載置された原稿Ｄを照明する光源としての例えばハロゲンランプなどで構成される露光ランプ１０、原稿Ｄからの反射光を所定の方向に偏向する第１のミラー１２を有し、これらの露光ランプ１０、第１のミラー１２は、原稿載置台８の下方に配設された第１キャリッジ１４に取り付けられている。
　【００３２】
　第１キャリッジ１４は、原稿載置台８と平行に移動可能に配置され、図示しない歯付きベルト等を介してスキャナモータ（駆動モータ）１６により、原稿載置台８の下方を往復移動される。スキャナモータ１６は、ステッピングモータなどにより構成されている。
　【００３３】
　また、原稿載置台８の下方には、原稿載置台８と平行に移動可能な第２キャリッジ１８が配設されている。第２キャリッジ１８には、第１のミラー１２により偏向された原稿Ｄからの反射光を順に偏向する第２および第３のミラー２０、２２が互いに直角に取り付けられている。第２のキャリッジ１８は、第１キャリッジ１４を駆動する歯付きベルト等により、スキャナモータ１６からの回転力が伝達され、第１キャリッジ１４に対して従動されるとともに、第１キャリッジ１４に対して、１／２の速度で原稿載置台８に沿って平行に移動される。
　【００３４】
　また、原稿載置台８の下方には、第２キャリッジ１８上の第３のミラー２０からの反射光を集束する結像レンズ２４と、結像レンズ２４により集束された反射光を受光して光電変換するＣＣＤセンサ（ラインセンサ）２６とが配設されている。結像レンズ２４は、第３のミラー２２により偏向された光の光軸を含む面内に、駆動機構を介して移動可能に配設され、自身が移動することで反射光を所望の倍率（主走査方向）で結像する。そして、ＣＣＤセンサ２６は、後述するメインＣＰＵから与えられる画像処理クロックに従って入射した反射光を光電変換し、読み取った原稿Ｄに対応する電気信号を出力する。副走査方向の倍率は、上記ＡＤＦ９による搬送速度あるいは第１キャリッジ１４の移動速度を変更することにより対応できるようになっている。
　【００３５】
　上記ＡＤＦ９により搬送される原稿Ｄの読取りを行う際、上記露光ランプ１０による照射位置は、図６に示す位置に固定されている。また、原稿載置台８に載置された原稿Ｄをの読取りを行う際、上記露光ランプ１０による照射位置は、原稿載置台８に沿って左から右へ移動されるようになっている。
　【００３６】
　一方、プリンタ部６は、潜像形成手段として作用するレーザ露光装置２８を備えている。レーザ露光装置２８からのレーザ光により、感光体ドラム３０周面を走査することにより感光体ドラム３０周面上に静電潜像を形成する。
　【００３７】
　また、プリンタ部６は、装置本体２のほぼ中央右側に配設された像担持体としての回転自在な感光体ドラム３０を有し、感光体ドラム３０周面は、レーザ露光装置２８からのレーザ光により露光され、所望の静電潜像が形成される。感光体ドラム３０の周面には、ドラム周面を所定の電荷に帯電させる帯電チャージャ３２、感光体ドラム３０周面上に形成された静電潜像に現像剤としてのトナーを供給して所望の画像濃度で現像する現像手段としての現像器３４、後述する各カセット４８、５０から給紙された被画像形成媒体、つまり、コピー用紙Ｐを感光体ドラム３０から分離させるための剥離チャージャ３６を一体に有し、感光体ドラム３０に形成されたトナー像を用紙Ｐに転写させる転写チャージャ３８、感光体ドラム３０周面からコピー用紙Ｐを剥離する剥離爪４０、感光体ドラム３０周面に残留したトナーを清掃する清掃装置４２、および、感光体ドラム３０周面の除電する除電器４４が順に配置されている。
　【００３８】
　装置本体２内の下部には、それぞれ装置本体から引出し可能な上段カセット４８、下段カセット５０が互いに積層状態に配設され、各カセット４８、５０内にはサイズの異なるコピー用紙Ｐが装填されている。上記上段カセット４８の側方には手差しトレイ５４が設けられている。
　【００３９】
　装置本体２内には、各カセット４８、５０から感光体ドラム３０と転写チャージャ３８との間に位置した転写部を通って延びる搬送路５６が形成され、搬送路５６の終端には定着ランプ５８ａを有する定着装置５８が設けられている。定着装置５８の上部には排出口６０が形成されている。
　【００４０】
　上段カセット４８、下段カセット５０の近傍には、各カセット４８、５０から用紙Ｐを一枚づつ取り出す給紙ローラ６２と分離ローラ６３がそれぞれ設けられている。また、搬送路５６には、給紙ローラ６２と分離ローラ６３により取り出されたコピー用紙Ｐを搬送路５６を通して搬送する多数の給紙ローラ対６４が設けられている。
　【００４１】
　搬送路５６において感光体ドラム３０の上流側にはレジストローラ対６６が設けられている。レジストローラ対６６は、取り出されたコピー用紙Ｐの傾きを補正するとともに、感光体ドラム３０上のトナー像の先端とコピー用紙Ｐの先端とを整合させ、感光体ドラム３０周面の移動速度と同じ速度でコピー用紙Ｐを転写部へ給紙する。レジストローラ対６６の手前、つまり、給紙ローラ６４側には、コピー用紙Ｐの到達を検出するアライニング前センサ６８が設けられている。
　【００４２】
　給紙ローラ６２により各カセット４８、５０から１枚づつ取り出されたコピー用紙Ｐは、給紙ローラ対６４によりレジストローラ対６６へ送られる。そして、コピー用紙Ｐは、レジストローラ対６６により先端が整位された後、転写部に送られる。
　【００４３】
　転写部において、感光体ドラム３０上に形成された現像剤像、つまり、トナー像が、転写チャージャ３８により用紙Ｐ上に転写される。トナー像の転写されたコピー用紙Ｐは、剥離チャージャ３６および剥離爪４０の作用により感光体ドラム３０周面から剥離され、搬送路５６の一部を構成する搬送ベルト（図示しない）を介して定着装置５８に搬送される。そして、定着装置５８によって現像剤像がコピー用紙Ｐに溶融定着された後、コピー用紙Ｐは、排紙ローラ対７０により排出口６０を通して排出される。
　【００４４】
　搬送路５６の右方には、定着装置５８を通過したコピー用紙Ｐを反転して再び搬送路５６へ送る自動両面装置７４が設けられている。
　【００４５】
　排出口６０には振分けレバー（図示しない）が設けられ、排出口６０から排出されるコピー用紙Ｐを装置本体２内の排紙トレイ７２上へ振分けるか、あるいは外部搬送機構７６に振分けるようになっている。外部搬送機構７６は、装置本体２内の排紙トレイ７２の上部空洞部７８に設置され、排出口６０から排出されるコピー用紙Ｐを装置本体２外へ搬送するものである。
　【００４６】
　また、装置本体２の側部には、オプション機器であるフィニッシャ８０が装着されている。このフィニッシャ８０には、外部搬送機構７６により搬送されたコピー用紙Ｐ（下側が印刷面）が供給されるようになっている。
　【００４７】
　フィニッシャ８０は供給された一部構成の文書（用紙Ｐ）の後端側にステイプラ８１により一部単位でステイプル止めし、トレイ８２上に貯めていくものである。トレイ８２は上下動できるものであり、上記文書の積載に基づいて下降するものである。
　【００４８】
　また、フィニッシャ８０に供給されたコピー用紙Ｐは、反転搬送路８３により搬送されてトレイ８４上に印刷面が上側になる状態で排出される。
　【００４９】
　また、装置本体２の前面上部には、コピー倍率等の様々な複写条件並びに複写開始などを指示する操作パネル（後述する）が設けられている。
　【００５０】
　この操作パネルには、図７に示すように、操作案内を行うとともに種々の指示が行えるタッチキー内蔵の液晶表示部（ＬＣＤ）８６が設けられている。
　【００５１】液晶表示部８６は、図７に示すように、「ＲＥＡＤＹ」等の操作案内が表示される操作案内表示部８６ａと種々の設定内容が切換え表示される設定表示部７６ｂにより構成されている。設定表示部８６ｂは、図７に示すように、たとえば初期画面として基本機能（ＢＡＳＩＣ）の設定画面となっており、ＬＣＦ５２の選択状態が表示され、ズームが１００％、原稿サイズがＡ４、写真画像とテキスト画像の自動選択、ノンソート、ノンステイプル、原稿対用紙が１対１という設定状態が表示され、編集、プログラム、設定変更等の指示を行うアイコンが表示されるようになっている。
　【００５２】
　また、設定表示部８６ｂには、編集（ＥＤＩＴ）、プログラム（ＰＲＯＧＲＡＭ）、セッテング（ＳＥＴＴＩＮＧＳ）の設定画面があり、たとえば、プログラムやセッテングの設定画面にて、優先度設定、ジョブのキャンセル、ジョブの一覧表示、優先度設定の変更や追加が行えるようになっている。
　【００５３】
　上記デジタル複写機１は、単独で用いるものであっても、ネットワークプリンタとして用いるものであっても良い。
　【００５４】
　この場合、上記デジタル複写機１は、ローカルネットワーク（ＬＡＮ）（図示しない）を介してパーソナルコンピュータ（ＰＣ）（図示しない）、…やサーバ（図示しない）と接続されている構成となっている。
　【００５５】
　上記デジタル複写機１の制御回路の内部構成を、図８を用いて説明する。
　【００５６】
　このデジタル複写機１には、全体を制御する主制御部９０が設けられている。この主制御部９０は、それぞれ図示しないが、その動作の制御を司るＣＰＵ（ｃｅｎｔｒａｌ　ｐｒｏｃｅｓｓｉｎｇ　ｕｎｉｔ）、このデジタル複写機１の動作のソフトウェアが格納されているＲＯＭ（ｒｅａｄｏｎｌｙ　ｍｅｍｏｒｙ）、画像データやその他動作上のデータが一時格納されるＲＡＭ（ｒａｎｄｏｍａｃｃｅｓｓ　ｍｅｍｏｒｙ）（Ｓ−ＲＡＭ）により構成されている。
　【００５７】
　上記主制御部９０は、上記ＡＤＦ９、スキャナ部４、プリンタ部６、フィニッシャ８０、操作パネル９１、画像処理部９２、ページメモリ９３、ＨＤＤ９４がバス９５を介して接続されている。また、画像処理部９２、ページメモリ９３、ＨＤＤ９４は画像バス９６を介して接続されている。
　【００５８】
　画像処理部９２は、スキャナ部４により読取った原稿画像を処理したり、ページメモリ９３、ＨＤＤ９４からの画像データを処理したり、処理した画像データをページメモリ９３、プリンタ部６、あるいはＨＤＤ９４へ出力するものである。
　【００５９】
　画像処理部９２は、図示しない圧縮伸長回路を有し、この圧縮伸長回路を用いてページメモリ９３からの画像データを圧縮したり、ＨＤＤ９４からの画像データの伸長を行うようになっている。
　【００６０】
　ページメモリ９３は、画像処理部９２からの画像データを登録するものである。
　【００６１】
　ＨＤＤ９４は、各種データが格納されるハードディスクで代表される外部記憶装置である。たとえば、複数部数のコピーを行う際に、複数枚の原稿画像の読取画像を圧縮した画像を登録し、印刷時にこの圧縮した画像を読出して印刷するようになっている。
　【００６２】
　上記主制御部９０は、ジョブごとに管理される入力タスクと印刷タスクを有している。
　【００６３】
　次に、上記のような構成において、ＡＤＦ９を用いてノンソート、非回転コピーを行う場合の処理を、図９に示すフローチャートを参照しつつ説明する。
　【００６４】
　図９は、ページメモリ９３が１つの複写機１において、部数１、ノンソート、画像回転処理を必要としない機能を選択した場合のフローチャートである。
　【００６５】
　すなわち、コピースタートを受けた後、入力タスクと印刷タスクが実行される。入力タスクと印刷タスクともに、実行するジョブのパラメータを取得する（ＳＴ１）。ジョブパラメータには、ジョブの印刷部数や、選択された機能が含まれており、選択機能に応じて逐次印刷処理が可能かどうかを判断する（ＳＴ２）。この場合は逐次印刷処理が可能であるので、逐次印刷処理を行う。
　【００６６】
　この逐次印刷処理時に、原稿１頁分の画像がページメモリ９３に書かれる前に、すでにページメモリ９３上に書かれた画像データを読出し、印刷を行う処理が、見切り印刷である。この見切り印刷を行うことにより、コピーアウト時間が短縮することが可能となっている。
　【００６７】
（入力タスク）
　１．逐次印刷処理であるので、原稿を見切り印刷可能な位置まで読み取る（ＳＴ３〜５）。
　【００６８】
　２．見切り印刷可能位置まで読み取ったら、印刷タスクにページメモリ９３が読み取り可能であることを通知する（ＳＴ６）。
　【００６９】
　３．残りの画像を読み取る（ＳＴ７、８）。
　【００７０】
　４−１．次原稿があるのであれば（ＳＴ９）、１〜３の処理（ＳＴ３〜８）を繰り返す。
　【００７１】
　４−２．次原稿が無いのであれば（ＳＴ９）、入力処理を終了する。
　【００７２】（印刷タスク）
　１．逐次印刷処理であるので、入力タスクからページメモリ９３の読み取り可能通知が来るのを待つ（ＳＴ１０）。
　【００７３】
　２．ページメモリ読み取り可能通知を受け取ったら、ページメモリ９３から画像を読み取り、印刷する（ＳＴ１１）。
　【００７４】
　３．印刷が終了したら、入力タスクにページメモリ９３の書き込み可能通知を出す（ＳＴ１２）。
　【００７５】
　４−１．次印刷画像があるのであれば（ＳＴ１３）、１〜３の処理（ＳＴ１０〜１２）を繰り返す。
　【００７６】
　４−２．次印刷画像が無いのであれば（ＳＴ１３）、印刷処理を終了する。
　【００７７】
　次に、ＡＤＦ９を用いてステイプルコピーを行う場合の処理を、図１０に示すフローチャートを参照しつつ説明する。
　【００７８】
　図１０は、ページメモリ９３が１つのデジタル複写機１において、部数１、ステイプル等の回転印刷が必須な機能を選択した場合のフローチャートである。
　【００７９】
　すなわち、コピースタートを受けた後、入力タスクと印刷タスクが実行される。入力タスクと印刷タスクともに、実行するジョブのパラメータを取得する（ＳＴ２１）。ジョブパラメータには、ジョブの印刷部数や、選択された機能が含まれており、選択機能に応じて逐次印刷処理が可能かどうかを判断する（ＳＴ２２）。この場合は、回転印刷が必須な機能が選択されているため、逐次印刷処理は不可である。このため、逐次印刷を行わない完了印刷処理で印刷する。
　【００８０】
　この完了印刷処理では、画像の回転処理を行うため、画像データが原稿１頁分、ページメモリ９３上に存在している必要があり、見切り印刷を行うことができない。
　【００８１】（入力タスク）
　１．完了印刷処理であるので、原稿の１頁分を全て読み取る（ＳＴ２３〜２５）。
　【００８２】
　２．原稿の１頁分を全て読み取ったら、１８０度の回転処理を行う（ＳＴ２６）。
　【００８３】
　３．この回転処理後、印刷タスクにページメモリ９３の読み取り可能であることを通知する（ＳＴ２７）。この際、複数部数印刷する際には、画像データが圧縮されてＨＤＤ９４に登録される。
　【００８４】
　３−１．次原稿があるのであれば（ＳＴ２８）、１〜２の処理（ＳＴ２３〜２７）を繰り返す。
　【００８５】３−２．次原稿が無いのであれば（ＳＴ２８）、入力処理を終了する。
　【００８６】
（印刷タスク）
　１．入力タスクからページメモリ９３の読み取り可能通知が来るのを待つ（ＳＴ３０）。
　【００８７】
　２．ページメモリ９３の読み取り可能通知を受け取ったら、ページメモリ９３から画像を読み取り、印刷する（ＳＴ３１）。
　【００８８】
　３．印刷が終了したら、入力タスクにページメモリ９３の書き込み可能通知を出す（ＳＴ３２）。
　【００８９】
　４−１．次印刷画像があるのであれば（ＳＴ３３）、１〜３の処理（ＳＴ３０〜３２）を繰り返す。
　【００９０】
　４−２．次印刷画像が無いのであれば（ＳＴ３３）、印刷処理を終了する。
　【００９１】
　また、複数部数印刷する際には、ＨＤＤ９４に登録されている画像データを１頁分ずつ読出してページメモリ９３上に伸長して印刷を行う。
　【００９２】
　上記したように、ＡＤＦ９のトレイ９ａに載置された複数枚の原稿Ｄに対するコピー処理を実行する際に、複数部のコピーのうちの一部目について、ステイプルを行うか否か、つまり読取り画像の回転処理を行うか否かにより、ページメモリ９３に原稿の１頁分の全ての画像データを登録してからでないと印刷できない処理と、ページメモリ９２に原稿の１頁分の画像データの途中までの登録が行われた際に、印刷（見切り印刷）できる処理とからなる。これにより、回転処理を伴わない処理の場合には、印刷時間を短縮することができる。
　【００９３】
　【発明の効果】
　以上詳述したように、この発明によれば、自動原稿送り装置により搬送される原稿に対する画像形成を行う際に、回転処理を伴わない画像形成時に、画像形成時間の短縮を図ることができる画像形成装置を提供できる。
【図面の簡単な説明】
　【図１】読み取りガラス面にコピーしたい面を下向きにして原稿をセットした場合の画像の入力と印刷とを説明するための図。
　【図２】ＡＤＦを用いて画像を入力する場合を説明するための図。
　【図３】スルーリードＡＤＦ使用時に画像処理を行わないで印刷した場合の画像の入力と印刷とを説明するための図。
　【図４】スルーリードＡＤＦ使用時に画像処理を行って印刷した場合の画像の入力と印刷とを説明するための図。
　【図５】回転印刷時におけるページメモリ上の画像の読出し位置を説明するための図。
　【図６】デジタル複写機の概略構成を示す断面図。
　【図７】液晶表示部の表示例を示す図。
　【図８】デジタル複写機の制御回路の内部構成を示すブロック図。
　【図９】ＡＤＦを用いてノンソート、非回転コピーを行う場合の処理を説明するためのフローチャート。
　【図１０】ＡＤＦを用いて回転印刷が必須なステイプルコピーを行う場合の処理を説明するためのフローチャート。
　【符号の説明】
　１…デジタル複写機
　４…スキャナ部
　６…プリンタ部
　Ｄ…原稿
　９…ＡＤＦ
　９ａ…トレイ
　９ｂ…プラテンローラ
　９３…ページメモリ
　Ｐ…コピー用紙